(57)【要約】  利便性に優れた電子機器を提供する。電子機器（６００）は、無線アクセスポイントまたはケーブルを介してネットワークに接続される。電子機器（６００）は、少なくとも無線通信機能を備えた通信部（６０１）と、通信部（６０１）の通信動作を制御する制御部（６０２）と、を有する。制御部（６０２）は、無線アクセスポイントまたはケーブルを介してネットワークに接続されたまま、通信部（６０１）から、電子機器（６００）の識別情報を含むビーコン信号を送信させる。識別情報は、ネットワーク上で電子機器（６００）を識別可能なＩＰアドレスの情報を含む。
2018221673.tif 000002
【特許請求の範囲】
【請求項１】
無線アクセスポイントまたはケーブルを介してネットワークに接続される電子機器であって、
少なくとも無線通信機能を備えた通信部と、
前記通信部の通信動作を制御する制御部と、を有し、
前記制御部は、前記無線アクセスポイントまたは前記ケーブルを介して前記ネットワークに接続されたまま、前記通信部から、前記電子機器の識別情報を含むビーコン信号を送信させ、前記識別情報は、前記ネットワーク上で当該電子機器を識別可能なＩＰアドレスの情報を含む、電子機器。
【請求項２】
請求項１に記載の電子機器において、
前記通信部は、前記ビーコン信号を受信した端末から、前記無線アクセスポイントまたは前記ケーブルを介してセッション開始要求を受信する、電子機器。
【請求項３】
請求項１または２に記載の電子機器において、
前記制御部は、前記ＩＰアドレスの割当てが前記無線アクセスポイントおよび前記ケーブルのいずれを経由して行われたかを判定し、前記ケーブル経由である場合に、前記通信部に前記ビーコン信号の送信を行わせ、または、前記無線アクセスポイント経由である場合で、前記無線アクセスポイントを介して前記無線ＬＡＮ端末と通信する動作モードが設定されている場合に、前記通信部に前記ビーコン信号の送信を行わせる、電子機器。
【請求項４】
請求項３に記載の電子機器において、
前記制御部は、前記ＩＰアドレスの割当てが前記無線アクセスポイント経由である場合で、前記動作モードが設定されていない場合には、前記通信部に前記ビーコン信号の送信を行わせない、電子機器。
【請求項５】
請求項１から４のいずれか一項に記載の電子機器において、
前記ビーコン信号は、ブロードキャストにより送信される、電子機器。
【請求項６】
請求項１乃至５のいずれか一項に記載の電子機器において、
文字列の情報を生成するコード生成部を、さらに有し、
前記識別情報は前記文字列の情報をさらに含む、電子機器。
【請求項７】
請求項６に記載の電子機器において、
前記識別情報はＳＳＩＤである、電子機器。
【請求項８】
請求項６または７に記載の電子機器において、
画像を表示する表示部を、さらに有し、
前記表示部は、前記文字列を示す画像を表示する、電子機器。
【請求項９】
請求項６または７に記載の電子機器において、
画像を投写する投写部を、さらに有し、
前記投写部は、前記文字列を示す画像を投写する、電子機器。
【請求項１０】
請求項１乃至９のいずれか一項に記載の電子機器において、
前記ＩＰアドレスは、ＤＨＣＰで割り当てられる、電子機器。
【請求項１１】
無線アクセスポイントまたはケーブルを介してネットワークに接続される無線ＬＡＮ端末であって、
文字の入力を受け付ける操作部と、
少なくとも無線通信機能を備えた通信部と、
前記通信部の通信動作を制御する制御部と、を有し、
前記制御部は、前記操作部を介して所定の認証情報の入力を受け付け、前記通信部が、前記ネットワークに接続された電子機器から前記無線アクセスポイントおよび前記ケーブルのいずれも介さずに該電子機器のＩＰアドレスの情報と前記所定の認証情報とを含む無線信号を受信すると、前記ＩＰアドレスを宛先アドレスに設定したセッション開始要求を、前記通信部から前記無線アクセスポイントまたは前記ケーブルを介して送信させ、
前記所定の認証情報の入力前に、または、前記無線信号の受信前に、前記通信部が、前記無線アクセスポイントまたは前記ケーブルを介して前記ネットワークに接続されている、無線ＬＡＮ端末。
【請求項１２】
無線アクセスポイントまたはケーブルを介してネットワークに接続される無線ＬＡＮ端末であって、
少なくとも無線通信機能を備えた通信部と、
前記通信部の動作を制御する制御部と、を有し、
前記制御部は、前記無線アクセスポイントまたは前記ケーブルを介して前記ネットワークに接続されたまま、前記通信部が、電子機器から前記無線アクセスポイントおよび前記ケーブルのいずれも介さずに該電子機器のＩＰアドレスの情報を含む信号を受信すると、前記ＩＰアドレスを宛先アドレスに設定したセッション開始要求を、前記通信部から前記無線アクセスポイントまたは前記ケーブルを介して送信させる、無線ＬＡＮ端末。
【請求項１３】
請求項１乃至１０のいずれか一項に記載の電子機器と、
請求項１１または１２に記載の無線ＬＡＮ端末と、を有し、
前記電子機器と前記無線ＬＡＮ端末とが無線アクセスポイントを介して通信する、無線ＬＡＮシステム。
【請求項１４】
請求項１乃至１０のいずれか一項に記載の電子機器と、
無線アクセスポイントと、を有し、
前記電子機器と無線端末とが前記無線アクセスポイントを介して通信する、無線ＬＡＮシステム。
【請求項１５】
無線アクセスポイントまたはケーブルを介してネットワークに接続される電子機器にて行われる無線ＬＡＮ接続方法であって、
前記無線アクセスポイントまたは前記ケーブルを介して前記ネットワークに接続されたまま、前記電子機器の識別情報を含むビーコン信号を送信し、前記識別情報が、前記ネットワーク上で当該電子機器を識別可能なＩＰアドレスの情報を含む、無線ＬＡＮ接続方法。
【請求項１６】
無線アクセスポイントまたはケーブルを介してネットワークに接続される無線ＬＡＮ端末にて行われる無線ＬＡＮ接続方法であって、
所定の認証情報の入力を受け付け、前記ネットワークに接続された電子機器から前記無線アクセスポイントおよび前記ケーブルのいずれも介さずに該電子機器のＩＰアドレスの情報と前記所定の認証情報とを含む無線信号を受信し、
前記ＩＰアドレスを宛先アドレスに設定したセッション開始要求を前記無線アクセスポイントまたは前記ケーブルを介して送信し、
前記所定の認証情報の入力前に、または、前記無線信号の受信前に、当該無線ＬＡＮ端末を、前記無線アクセスポイントまたは前記ケーブルを介して前記ネットワークに接続する、無線ＬＡＮ接続方法。
【請求項１７】
無線アクセスポイントまたはケーブルを介してネットワークに接続される無線ＬＡＮ端末のコンピュータに、
所定の認証情報の入力を受け付け、前記ネットワークに接続された電子機器から前記無線アクセスポイントおよび前記ケーブルのいずれも介さずに前記電子機器のＩＰアドレスの情報と前記所定の認証情報とを含む無線信号を受信する処理と、
前記ＩＰアドレスを宛先アドレスに設定したセッション開始要求を前記無線アクセスポイントまたは前記ケーブルを介して送信する処理と、
前記所定の認証情報の入力前に、または、前記無線信号の受信前に、当該無線ＬＡＮ端末を、前記無線アクセスポイントまたは前記ケーブルを介して前記ネットワークに接続する処理と、を実行させるためのプログラム。
【発明の詳細な説明】
【技術分野】
【０００１】
本発明は、電子機器、無線ＬＡＮ端末、無線ＬＡＮシステム、無線ＬＡＮ接続方法及びプログラムに関する。
【背景技術】
【０００２】
最近のプロジェクターのなかには、無線ＬＡＮ（Local Area Network）機能を備えたもの（以下、無線ＬＡＮ対応プロジェクターと呼ぶ）がある。この無線ＬＡＮ対応プロジェクターは、無線ＬＡＮ端末として使用することができる。
一般に、無線ＬＡＮの接続形態には、アドホックモードとインフラストラクチャモードがある。アドホックモードは、無線ＬＡＮ端末同士が互いに直接通信を行う形態である。インフラストラクチャモードは、それぞれの無線ＬＡＮ端末が無線アクセスポイントを介して通信し、互いに直接通信をしない形態である。【０００３】
無線ＬＡＮ対応プロジェクターと無線ＬＡＮ端末とが無線で通信する無線ＬＡＮシステムにおいて、アドホックモード及びインフラストラクチャモードのいずれも適用可能である。
アドホックモードでは、無線ＬＡＮ対応プロジェクターは一つの無線ＬＡＮ端末として動作する。無線ＬＡＮ対応プロジェクターは、自分の存在を周囲に知らせるためのビーコン信号を定期的にブロードキャストする。ビーコン信号は、ＳＳＩＤ（Service Set Identifier）を含む。このＳＳＩＤは、無線ＬＡＮ対応プロジェクターの識別子やＰＩＮ（Personal Identification Number）コードなど情報を含む。ＰＩＮコードは、例えば４ケタの数字からなり、通常、乱数を用いて設定される。
無線ＬＡＮ対応プロジェクターが、ＰＩＮコードを示す画像を投写し、ユーザーは、ビーコン信号を受信した無線ＬＡＮ端末上で、投写されたＰＩＮコードを入力する。無線ＬＡＮ端末は、サイトサーベイにより収集したビーコン信号からＳＳＩＤを抽出し、その中からユーザーが入力したＰＩＮコードを含むＳＳＩＤを取得する。無線ＬＡＮ端末は、その取得したＳＳＩＤに基づいて無線ＬＡＮ対応プロジェクターとの無線接続を確立する。【０００４】
一方、インフラストラクチャモードでは、無線ＬＡＮ対応プロジェクターは、無線ＬＡＮ端末として動作し、無線アクセスポイント経由で無線ＬＡＮ端末と通信する。この場合、ユーザーは、無線ＬＡＮ端末上で、無線アクセスポイント経由で無線ＬＡＮ対応プロジェクターと通信するために必要なネットワーク接続設定を手動で行う。
関連技術として、アドホックモードで通信を行う無線ＬＡＮシステムにおいて、ビーコン信号を用いて自動的に接続設定を行う技術が特許文献１に記載されている。
【先行技術文献】
【特許文献】
【０００５】
【特許文献１】特開２０１１−１８８２３８号公報
【発明の概要】
【発明が解決しようとする課題】
【０００６】
しかし、上述したアドホックモードやインフラストラクチャモードで通信を行う無線ＬＡＮシステムには、以下のような問題がある。
アドホックモードにおいては、無線ＬＡＮ対応プロジェクター及び無線ＬＡＮ端末は、イントラネット等のネットワークから完全に切り離されているため、無線ＬＡＮ端末は、ネットワーク上の共有サーバーにアクセスすることはできない。このため、共有サーバーに格納したファイルを参照したい場合は、ユーザーは、予め、必要なファイルを共有サーバーから無線ＬＡＮ端末にダウンロードしておく必要がある。そのような作業は、ユーザーにとって非常に煩わしく、不便である。
インフラストラクチャモードにおいては、無線ＬＡＮ端末は、無線アクセスポイントを介してイントラネット等のネットワーク上の共有サーバーにアクセスすることができる。しかし、この場合は、ユーザーは、無線ＬＡＮ端末上で、無線アクセスポイント経由で無線ＬＡＮ対応プロジェクターと通信するために必要なネットワーク接続設定を手動で行う必要がある。そのようなネットワーク接続設定は、ユーザーにとって非常に煩わしく、不便である。【０００７】
本発明の目的は、上記課題を解決し、利便性に優れた、電子機器、無線ＬＡＮ端末、無線ＬＡＮシステム、無線ＬＡＮ接続方法及びプログラムを提供することにある。
【課題を解決するための手段】
【０００８】
上記目的を達成するため、本発明の電子機器は、無線アクセスポイントまたはケーブルを介してネットワークに接続される電子機器であって、少なくとも無線通信機能を備えた通信部と、前記通信部の通信動作を制御する制御部と、を有する。前記制御部は、前記無線アクセスポイントまたは前記ケーブルを介して前記ネットワークに接続されたまま、前記通信部から、前記電子機器の識別情報を含むビーコン信号を送信させる。前記識別情報は、前記ネットワーク上で当該電子機器を識別可能なＩＰアドレスの情報を含む。【０００９】
本発明の第１の無線ＬＡＮ端末は、無線アクセスポイントまたはケーブルを介してネットワークに接続される無線ＬＡＮ端末であって、文字の入力を受け付ける操作部と、少なくとも無線通信機能を備えた通信部と、前記通信部の通信動作を制御する制御部と、を有する。前記制御部は、前記操作部を介して所定の認証情報の入力を受け付け、前記通信部が、前記ネットワークに接続された電子機器から前記無線アクセスポイントおよび前記ケーブルのいずれも介さずに該電子機器のＩＰアドレスの情報と前記所定の認証情報とを含む無線信号を受信すると、前記ＩＰアドレスを宛先アドレスに設定したセッション開始要求を、前記通信部から前記無線アクセスポイントまたは前記ケーブルを介して送信させ、前記所定の認証情報の入力前に、または、前記無線信号の受信前に、前記通信部が、前記無線アクセスポイントまたは前記ケーブルを介して前記ネットワークに接続されている。【００１０】
本発明の第２の無線ＬＡＮ端末は、無線アクセスポイントまたはケーブルを介してネットワークに接続される無線ＬＡＮ端末であって、少なくとも無線通信機能を備えた通信部と、前記通信部の動作を制御する制御部と、を有する。前記制御部は、前記無線アクセスポイントまたは前記ケーブルを介して前記ネットワークに接続されたまま、前記通信部が、電子機器から前記無線アクセスポイントおよび前記ケーブルのいずれも介さずに該電子機器のＩＰアドレスの情報を含む信号を受信すると、前記ＩＰアドレスを宛先アドレスに設定したセッション開始要求を、前記通信部から前記無線アクセスポイントまたは前記ケーブルを介して送信させる。【００１１】
本発明の第１の無線ＬＡＮシステムは、上記電子機器と、上記のいずれかの無線ＬＡＮ端末と、を有する。前記電子機器と前記無線ＬＡＮ端末とが無線アクセスポイントを介して通信する。【００１２】
本発明の第２の無線ＬＡＮシステムは、上記電子機器と、無線アクセスポイントと、を有する。前記電子機器と無線端末とが前記無線アクセスポイントを介して通信する。【００１３】
本発明の第１の無線ＬＡＮ接続方法は、無線アクセスポイントまたはケーブルを介してネットワークに接続される電子機器にて行われる無線ＬＡＮ接続方法であって、前記無線アクセスポイントまたは前記ケーブルを介して前記ネットワークに接続されたまま、前記電子機器の識別情報を含むビーコン信号を送信し、前記識別情報が、前記ネットワーク上で当該電子機器を識別可能なＩＰアドレスの情報を含む。【００１４】
本発明の第２の無線ＬＡＮ接続方法は、無線アクセスポイントまたはケーブルを介してネットワークに接続される無線ＬＡＮ端末にて行われる無線ＬＡＮ接続方法であって、所定の認証情報の入力を受け付け、前記ネットワークに接続された電子機器から前記無線アクセスポイントおよび前記ケーブルのいずれも介さずに該電子機器のＩＰアドレスの情報と前記所定の認証情報とを含む無線信号を受信し、前記ＩＰアドレスを宛先アドレスに設定したセッション開始要求を前記無線アクセスポイントまたは前記ケーブルを介して送信し、前記所定の認証情報の入力前に、または、前記無線信号の受信前に、当該無線ＬＡＮ端末を、前記無線アクセスポイントまたは前記ケーブルを介して前記ネットワークに接続する。【００１５】
本発明のプログラムは、無線アクセスポイントまたはケーブルを介してネットワークに接続される無線ＬＡＮ端末のコンピュータに、所定の認証情報の入力を受け付け、前記ネットワークに接続された電子機器から前記無線アクセスポイントおよび前記ケーブルのいずれも介さずに前記電子機器のＩＰアドレスの情報と前記所定の認証情報とを含む無線信号を受信する処理と、前記ＩＰアドレスを宛先アドレスに設定したセッション開始要求を前記無線アクセスポイントまたは前記ケーブルを介して送信する処理と、前記所定の認証情報の入力前に、または、前記無線信号の受信前に、当該無線ＬＡＮ端末を、前記無線アクセスポイントまたは前記ケーブルを介して前記ネットワークに接続する処理と、を実行させる。
【発明の効果】
【００１６】
本発明によれば、利便性に優れた、電子機器、無線ＬＡＮ端末、無線ＬＡＮシステム、無線ＬＡＮ接続方法及びプログラムを提供することができる。
【図面の簡単な説明】
【００１７】
【図１】本発明の一実施形態である無線ＬＡＮシステムの構成を示すブロック図である。
【図２】本発明の一実施形態である無線ＬＡＮ対応プロジェクターの構成を示すブロック図である。
【図３】本発明の一実施形態である無線ＬＡＮ端末の構成を示すブロック図である。
【図４】ＰＩＮコード入力画面の一例を示す模式図である。
【図５】図２に示した無線ＬＡＮ対応プロジェクターにて行われるＰＩＮコード接続待ち受けまでの処理の一手順を説明するための図である。
【図６】図３に示した無線ＬＡＮ端末にて行われるＰＩＮコード接続待ち受けまでの処理の一手順を説明するための図である。
【図７】ＰＩＮコード接続動作の一手順を説明するための図である。
【図８】接続開始ボタンを用いたネットワーク接続動作の一手順を説明するための図である。
【図９】本発明の別の実施形態である電子機器の構成を示すブロック図である。
【図１０】本発明の別の実施形態である無線ＬＡＮ端末の構成を示すブロック図である。
【図１１】ＩＰアドレスを含むビーコン信号の送信を行うか否かを判定する判定処理の一手順を示すフローチャートである。
【図１２】本発明の他の実施形態である無線通信システムの構成を示すブロック図である。
【図１３】図１２に示す無線通信システムの無線ＬＡＮ対応プロジェクターの構成を示すブロック図である。
【図１４】図１２に示す無線通信システムの無線ＬＡＮ端末の構成を示すブロック図である。
【発明を実施するための形態】
【００１８】
次に、本発明の実施形態について図面を参照して説明する。
図１は、本発明の一実施形態である無線ＬＡＮシステムの構成を示すブロック図である。
図１を参照すると、無線ＬＡＮシステムは、無線ＬＡＮ対応プロジェクター１００、無線ＬＡＮ端末２００、無線アクセスポイント３００、ＤＨＣＰ（Dynamic Host Configuration Protocol）サーバー４００及びイントラネット５００を有する。無線ＬＡＮ対応プロジェクター１００は電子機器と呼ぶことができる。
無線アクセスポイント３００、ＤＨＣＰサーバー４００及びイントラネット５００はいずれも、既存のものを適用することができる。これら無線アクセスポイント３００、ＤＨＣＰサーバー４００及びイントラネット５００の構成は周知であるので、ここでは、その構成についての詳細な説明は省略する。なお、図１において、２つの無線アクセスポイント３００が示されているが、これに限定されない。無線アクセスポイント３００の数は、１以上である。また、イントラネット５００上に、他のサーバー（例えば、共有サーバー）が配置されても良く、ゲートウェイ等の中継装置を介してイントラネット５００を他のネットワークと接続しても良い。
【００１９】
まず、無線ＬＡＮ対応プロジェクター１００の構成について、具体的に説明する。
無線ＬＡＮ対応プロジェクター１００は、画像をスクリーン１００ａ上に投写する。無線ＬＡＮ対応プロジェクター１００は、無線ＬＡＮ機能を備えており、無線アクセスポイント３００との無線通信やビーコン信号の送信が可能である。
図２に、無線ＬＡＮ対応プロジェクター１００の構成を示す。図２を参照すると、無線ＬＡＮ対応プロジェクター１００は、光源１０１、映像合成投写部１０２、フレームバッファ１０３、ＯＳＤ（On-Screen Display）部１０４及び無線ＬＡＮユニット１００ｂを有する。なお、図２には示されていないが、無線ＬＡＮ対応プロジェクター１００には、ユーザーの入力操作を受け付ける操作部も設けられている。ユーザーは、操作部にて、プロジェクターの起動（または無線ＬＡＮユニット１００ｂの起動）、動作モードの切り替え、メニュー表示及び項目選択など、様々な操作を行うことができる。
【００２０】
映像合成投写部１０２は、フレームバッファ１０３及びＯＳＤ部１０４と電気的に接続されている。ＯＳＤ部１０４は、無線ＬＡＮユニット１００ｂと電気的に接続されている。
光源１０１として、ＬＥＤ（Light Emitting Device）やレーザー光源などの固体光源、蛍光体と固体光源とを組み合わせた光源、高圧水銀ランプなどを用いることができる。光源１０１から射出した光は、映像合成投写部１０２に供給される。
フレームバッファ１０３は、フレーム単位に画像データを一時的に保持する。例えば、映像出力装置から供給された映像信号がフレームバッファ１０３を介して映像合成投写部１０２に供給される。映像出力装置は、例えば、パーソナルコンピュータ、ＨＤＤ（Hard Disk Drive）プレイヤー、ＤＶＤ（Digital Versatile Disk）プレイヤーなどである。
ＯＳＤ部１０４は、オンスクリーンメニュー画面を示す映像信号を映像合成投写部１０２に供給する。オンスクリーンメニュー画面は、画質調整メニュー、動作モード設定メニュー、無線ＬＡＮメニュー、ＰＩＮコード画面などを表示できる。
【００２１】
無線ＬＡＮメニューは、「無効」、「アドホック」、「インフラストラクチャ」などの選択項目を含む。「無効」が選択された場合は、無線ＬＡＮユニット１００ｂは停止する。「アドホック」が選択された場合は、無線ＬＡＮユニット１００ｂは一つの無線ＬＡＮ端末として動作し、ビーコン信号の送信が可能である。「インフラストラクチャ」が選択された場合は、無線ＬＡＮユニット１００ｂは無線ＬＡＮ端末として動作し、サイトサーベイによるビーコン信号の収集や、少なくとも自身のＩＰアドレスを含むビーコン信号の送信が可能である。
映像合成投写部１０２は、映像処理部、画像形成素子及び投写レンズを含む。映像処理部には、フレームバッファ１０３からの映像信号が第１の映像信号とし入力され、ＯＳＤ部１０４からの映像信号が第２の映像信号として入力される。通常は、第１の映像信号のみが映像処理部に供給され、映像処理部は、第１の映像信号に基づく画像を示す映像信号を画像形成素子に供給する。ユーザーがメニューを表示するための入力操作を行った場合は、第１及び第２の映像信号が映像処理部に供給され、映像処理部は、第１の映像信号に基づく画像と第２の映像信号に基づく画像とを合成した合成画像を示す映像信号を画像形成素子に供給する。
【００２２】
画像形成素子は、液晶表示デバイスやＤＭＤ（デジタルマイクロミラーデバイス）などの表示素子である。光源１０１からの光束が画像形成素子に照射される。画像形成素子は、映像処理部からの入力映像信号に基づいて光束を空間的及び／又は時間的に変調することで画像を形成する。投写レンズは、画像形成素子に形成された画像をスクリーン１００ａ上に拡大投写する。スクリーン１００ａは、専用のスクリーンであっても良く、また、壁等の構造体であっても良い。
無線ＬＡＮユニット１００ｂは、無線通信部１０５、ネットワーク制御部１０６、ＳＳＩＤ生成部１０７及びＰＩＮコード生成部１０８を有する。ネットワーク制御部１０６は、無線通信部１０５と電気的に接続され、かつ、ＳＳＩＤ生成部１０７と電気的に接続されている。ＳＳＩＤ生成部１０７は、ＰＩＮコード生成部１０８と電気的に接続されている。ＰＩＮコード生成部１０８は、ＯＳＤ部１０４と電気的に接続されている。
無線通信部１０５は、無線アクセスポイント３００と無線で通信し、ビーコン信号を無線でブロードキャストする。
【００２３】
ネットワーク制御部１０６は、インターネットプロトコル（ＩＰ）の通信制御を行うコントローラであって、ＩＰアドレスを管理する。ネットワーク制御部１０６は、イントラネット５００上で無線ＬＡＮ対応プロジェクター１００を識別するための情報であるＩＰアドレスを保持する。ここでは、無線ＬＡＮ対応プロジェクター１００のＩＰアドレスは、ＤＨＣＰサーバー４００にて割り当てられる。また、ネットワーク制御部１０６は、無線通信部１０５の通信動作も制御する。ネットワーク制御部１０６は、一般に、制御部と呼ぶことができる。
ＰＩＮコード生成部１０８は、複数桁の数字からなるＰＩＮコードを生成する。例えば、ＰＩＮコード生成部１０８は、乱数を用いて、４桁の数字からなるＰＩＮコードを生成する。
【００２４】
ＳＳＩＤ生成部１０７は、ＰＩＮコード生成部１０８が生成したＰＩＮコードと無線ＬＡＮ対応プロジェクター１００のＩＰアドレスとを含むＳＳＩＤを生成する。ＳＳＩＤは、無線アクセスポイント３００との無線通信やネットワークへの接続のために必要な他の情報を含んでいても良い。例えば、ＳＳＩＤは、「プレフィックス」＋「ＩＰアドレス」＋「ＰＩＮコード」の命名規則で与えられ、「_」をデリミタとして用いる。具体的には、ＳＳＩＤは、「MPJ_192.168.010.011_9086」と記述することができる。無線通信部１０５は、このＳＳＩＤを含むビーコン信号を送信する。一般に、ＳＳＩＤは識別情報と呼ぶことができ、ＳＳＩＤ生成部１０７は、識別情報生成部と呼ぶことができる。
無線ＬＡＮユニット１００ｂは、無線ＬＡＮ対応プロジェクター１００に内蔵されても良く、無線ＬＡＮ対応プロジェクター１００の筐体から取り外し可能に構成されても良い。取り外し可能な無線ＬＡＮユニット１００ｂは、例えば、ＵＳＢ（Universal Serial Bus）ポートに挿入して、無線でＬＡＮ経由のオペレーションを行うＵＳＢタイプのユニットであっても良い。
【００２５】
次に、無線ＬＡＮ端末２００の構成について、具体的に説明する。
図３に、無線ＬＡＮ端末２００の構成を示す。図３を参照すると、無線ＬＡＮ端末２００は、タッチパネル部２０１、ユーザーインターフェース制御部２０２、フレームバッファ２０３、無線通信部２０４、ネットワーク制御部２０５及びＳＳＩＤ解析部２０６を有する。
ユーザーインターフェース制御部２０２は、タッチパネル部２０１、フレームバッファ２０３及びＳＳＩＤ解析部２０６のそれぞれと電気的に接続されている。タッチパネル部２０１は、フレームバッファ２０３と電気的に接続されている。ネットワーク制御部２０５は、無線通信部２０４及びＳＳＩＤ解析部２０６のそれぞれと電気的に接続されている。
【００２６】
フレームバッファ２０３は、画像データを一時的に保持する。例えば、フレームバッファ２０３には、ＰＩＮコード入力画面を示す画像データが保持される。
タッチパネル部２０１は、液晶パネル等の表示装置と、タッチパッド等の位置入力装置とからなる。表示装置は、フレームバッファ２０３に格納された画像データに基づく画像を表示することができ、位置入力装置は、表示画面へのタッチ操作を受け付ける。ユーザーは、表示画面へのタッチ操作を行うことで、必要な情報を入力したり、項目を選択したりすることができる。一般に、タッチパネル部２０１は操作部と呼ぶことができる。
図４に、タッチパネル部２０１に表示されるＰＩＮコード入力画面の一例を示す。このＰＩＮコード入力画面２０１ａは、０〜９までの数字キーと、「Ｃ」キーと、矢印キーと、入力された４桁の数字が表示される表示領域２０１ｂとを含む。ユーザーは、数字キーをタッチすることで、任意の４桁の数字を入力することができる。「Ｃ」キーは、入力した数字を一括してクリアするためのクリアキーである。表示領域２０１ｂには、一の位、十の位、百の位、千の位それぞれに対応する４つの表示スペースが設けられており、現在の入力待ちの表示スペースにはカーソルが表示される。矢印キーは、カーソルを一文字前分後退して、そこにあった数字を削除する、いわゆるバックスペースキーである。
【００２７】
ユーザーインターフェース制御部２０２は、タッチパネル部２０１を介してユーザーの入力操作を受け付け、入力操作に応じて、フレームバッファ２０３に保持した画像データを編集したり、入力情報をＳＳＩＤ解析部２０６に供給したりする。例えば、ユーザーインターフェース制御部２０２は、ユーザーがＰＩＮコード入力画面上で入力した４桁の数字を示す入力情報をＳＳＩＤ解析部２０６に供給する。
無線通信部２０４は、無線アクセスポイント３００と無線で通信したり、サイトサーベイによってビーコン信号を収集したりする。
ネットワーク制御部２０５は、インターネットプロトコルの通信制御を行うコントローラであって、ＩＰアドレスを管理する。ネットワーク制御部２０５は、イントラネット５００上で無線ＬＡＮ端末２００を識別するための情報であるＩＰアドレスを保持する。ここでは、無線ＬＡＮ端末２００のＩＰアドレスは、ＤＨＣＰサーバー４００にて割り当てられる。
【００２８】
また、ネットワーク制御部２０５は、無線通信部２０４の通信動作も制御する。無線通信部２０４がビーコン信号を受信した場合は、ネットワーク制御部２０５は、該ビーコン信号に含まれるＳＳＩＤをＳＳＩＤ解析部２０６に供給する。
さらに、ネットワーク制御部２０５は、ＳＳＩＤ解析部２０６から供給された無線ＬＡＮ対応プロジェクター１００のＩＰアドレスを宛先アドレス、無線ＬＡＮ端末２００のＩＰアドレスを送信元アドレスに設定したセッション開始要求を、無線通信部２０４から無線アクセスポイント３００に送信させる。一般に、ネットワーク制御部２０５は制御部と呼ぶことができる。
ＳＳＩＤ解析部２０６は、無線通信部２０４がサイトサーベイにより収集したビーコン信号のＳＳＩＤを解析して、ユーザーが入力したＰＩＮコード（４桁の数字）を含んだＳＳＩＤを抽出する。ＳＳＩＤ解析部２０６は、抽出したＳＳＩＤからＩＰアドレスを取り出し、そのＩＰアドレスをネットワーク制御部２０５に供給する。ここで、ユーザーが入力したＰＩＮコードを含むＳＳＩＤは、無線ＬＡＮ対応プロジェクター１００から受信したビーコン信号に含まれていたＳＳＩＤである。よって、ＳＳＩＤ解析部２０６は、ＳＳＩＤから無線ＬＡＮ対応プロジェクター１００のＩＰアドレスを取得することができる。
【００２９】
以上説明した本実施形態の無線ＬＡＮシステムにおいては、無線ＬＡＮ対応プロジェクター１００及び無線ＬＡＮ端末２００をそれぞれ、無線アクセスポイント３００を介してイントラネット５００に接続する。そして、ＰＩＮコードを用いて、無線ＬＡＮ端末２００と無線ＬＡＮ対応プロジェクター１００とを無線アクセスポイント３００経由で接続する。
【００３０】
以下、無線ＬＡＮ対応プロジェクター１００及び無線ＬＡＮ端末２００のそれぞれの動作を詳細に説明する。
まず、無線ＬＡＮ対応プロジェクター１００のＰＩＮコード接続待ち受けまでの動作を具体的に説明する。
図５に、無線ＬＡＮ対応プロジェクター１００のＰＩＮコード接続待ち受けまでの処理を示す。ここでは、無線ＬＡＮメニューで、予め「インフラストラクチャ」が選択されている。
ユーザーは、無線ＬＡＮ対応プロジェクター１００の電源をＯＮにする（ステップＳ１００）。無線ＬＡＮ対応プロジェクター１００では、光源１０１が点灯し（ステップＳ１０１）、映像合成投写部１０２が画像をスクリーン１００ａ上に投写する（ステップＳ１０２）。
【００３１】
次に、ネットワーク制御部１０６が、無線接続要求（インフラストラクチャ接続）を無線通信部１０５から無線アクセスポイント３００へ送信させる（ステップＳ１０３）。例えば、無線アクセスポイント３００はＳＳＩＤを含むビーコン信号を定期的に送信しており、無線ＬＡＮ対応プロジェクター１００では、そのビーコン信号からＳＳＩＤを抽出し、そのＳＳＩＤに基づいて、無線接続要求の送信が行われる。
無線アクセスポイント３００は、無線ＬＡＮ対応プロジェクター１００からの無線接続要求を受け付け、許可を示す応答信号を無線ＬＡＮ対応プロジェクター１００に送信する（ステップＳ１０４）。これにより、無線ＬＡＮ対応プロジェクター１００と無線アクセスポイント３００との間の無線通信が確立する（ステップＳ１０５）。
次に、ネットワーク制御部１０６が、ＩＰアドレスの割り当て要求を無線通信部１０５から無線アクセスポイント３００経由でＤＨＣＰサーバー４００に送信する（ステップＳ１０６）。ＤＨＣＰサーバー４００は、無線ＬＡＮ対応プロジェクター１００からのＩＰアドレスの割り当て要求を受け付け、ＩＰアドレス（例えば、「192.168.010.011」）を含む応答信号を無線アクセスポイント３００経由で無線ＬＡＮ対応プロジェクター１００に送信する（ステップＳ１０７）。
【００３２】
無線ＬＡＮ対応プロジェクター１００では、無線通信部１０５がＤＨＣＰサーバー４００からの応答信号を受信し、ネットワーク制御部１０６が、その受信した応答信号に含まれているＩＰアドレスを保持する（ステップＳ１０８）。ネットワーク制御部１０６は、ＩＰアドレスに基づき、無線アクセスポイント３００経由でイントラネット５００への接続を確立する（ステップＳ１０９）。
次に、ＰＩＮコード生成部１０８が、ＰＩＮコード（例えば、「9086」）を生成する（ステップＳ１１０）。そして、ＯＳＤ部１０４が、ＰＩＮコードを示す画像データを映像合成投写部１０２に供給し、映像合成投写部１０２が、ＰＩＮコードを示す画像（例えば、「9086」の画像）をスクリーン１００ａ上に投写する（ステップＳ１１１）。これにより、ユーザーは、ＰＩＮコード（例えば、「9086」）を視認することができる。
次に、ＳＳＩＤ生成部１０７が、ＰＩＮコード及びＩＰアドレスを含むＳＳＩＤを生成し、ネットワーク制御部１０６が、そのＳＳＩＤを含むビーコン信号を無線通信部１０５から定期的に送信させる。ＳＳＩＤは、例えば、「MPJ_192.168.010.011_9086」である。ビーコン信号の送信周期は、例えば１００ミリ秒である。
以上が、無線ＬＡＮ対応プロジェクター１００のＰＩＮコード接続待ち受けまでの動作である。
【００３３】
次に、無線ＬＡＮ端末２００のＰＩＮコード接続待ち受けまでの動作を具体的に説明する。
図６に、無線ＬＡＮ端末２００のＰＩＮコード接続待ち受けまでの処理を示す。
ユーザーは、無線ＬＡＮ端末２００の電源をＯＮにする（ステップＳ２００）。無線ＬＡＮ端末２００では、タッチパネル部２０１が点灯する（ステップＳ２０１）。
次に、ネットワーク制御部２０５が、無線接続要求（インフラストラクチャ接続）を無線通信部２０４から無線アクセスポイント３００へ送信させる（ステップＳ２０２）。例えば、無線アクセスポイント３００はＳＳＩＤを含むビーコン信号を定期的に送信しており、無線ＬＡＮ端末２００では、そのビーコン信号からＳＳＩＤを抽出し、そのＳＳＩＤに基づいて、無線接続要求の送信が行われる。
【００３４】
無線アクセスポイント３００は、無線ＬＡＮ端末２００からの無線接続要求を受け付け、許可を示す応答信号を無線ＬＡＮ端末２００に送信する（ステップＳ２０３）。これにより、無線ＬＡＮ端末２００と無線アクセスポイント３００との間の無線通信が確立する（ステップＳ２０４）。
次に、ネットワーク制御部２０５が、ＩＰアドレスの割り当て要求を無線通信部２０４から無線アクセスポイント３００経由でＤＨＣＰサーバー４００に送信する（ステップＳ２０５）。ＤＨＣＰサーバー４００は、無線ＬＡＮ端末２００からのＩＰアドレスの割り当て要求を受け付け、ＩＰアドレス（例えば、「192.168.010.012」）を含む応答信号を無線アクセスポイント３００経由で無線ＬＡＮ端末２００に送信する（ステップＳ２０６）。
【００３５】
無線ＬＡＮ端末２００では、無線通信部２０４がＤＨＣＰサーバー４００からの応答信号を受信し、ネットワーク制御部２０５が、その受信した応答信号に含まれているＩＰアドレスを保持する（ステップＳ２０７）。これにより、無線ＬＡＮ端末２００のイントラネット５００への接続が確立する（ステップＳ２０８）。
次に、ユーザーインターフェース制御部２０２が、タッチパネル部２０１にＰＩＮコード入力画面を表示させる（ステップＳ２０９）。
以上が、無線ＬＡＮ端末２００のＰＩＮコード接続待ち受けまでの動作である。
【００３６】
次に、ＰＩＮコードを用いて無線ＬＡＮ端末２００を無線アクセスポイント３００経由で無線ＬＡＮ対応プロジェクター１００と接続するＰＩＮコード接続動作を説明する。
図７に、ＰＩＮコード接続動作の一手順を示す。ここでは、無線ＬＡＮ対応プロジェクター１００及び無線ＬＡＮ端末２００はそれぞれ、図５及び図６に示した手順を実行した状態である。
無線ＬＡＮ対応プロジェクター１００の無線通信部１０５が、ＳＳＩＤ（例えば、「MPJ_192.168.010.011_9086」）を含むビーコン信号を定期的に送信する（ステップＳ３００）。
【００３７】
無線ＬＡＮ端末２００では、タッチパネル部２０１が、図４に示したようなＰＩＮコード入力画面を表示する（ステップＳ３０１）。ユーザーが、無線ＬＡＮ対応プロジェクター１００がスクリーン１００ａ上に投写しているＰＩＮコード（例えば、9086」）を視認し、ＰＩＮコード入力画面上でＰＩＮコードを入力する（ステップＳ３０２）。
次に、無線通信部２０４が、サイトサーベイによりビーコン信号を収集する（ステップＳ３０３）。ＳＳＩＤ解析部２０６が、無線通信部２０４がサイトサーベイにより収集したビーコン信号のＳＳＩＤを解析し（ステップＳ３０４）、ユーザーが入力したＰＩＮコードを含んだＳＳＩＤ（例えば、「MPJ_192.168.010.011_9086」）を抽出する（ステップＳ３０５）。そして、ＳＳＩＤ解析部２０６が、抽出したＳＳＩＤからＩＰアドレス（例えば、「192.168.010.011」）を取り出し、そのＩＰアドレスをネットワーク制御部２０５に供給する（ステップＳ３０６）。
【００３８】
次に、ネットワーク制御部２０５が、セッション開始要求を無線通信部２０４から無線アクセスポイント３００に送信させる（ステップＳ３０７）。ここで、セッション開始要求は、宛先アドレスに無線ＬＡＮ対応プロジェクター１００のＩＰアドレス（例えば、「192.168.010.011」）を設定し、送信元アドレスに無線ＬＡＮ端末２００のＩＰアドレス（例えば、「192.168.010.012」）を設定したものである。
無線アクセスポイント３００は、無線ＬＡＮ端末２００からのセッション開始要求を受け付け、該要求の宛先アドレスに基づいてルーティングを行って（ステップＳ３０８）、そのセッション開始要求を無線ＬＡＮ対応プロジェクター１００に送る（ステップＳ３０９）。
【００３９】
次に、無線ＬＡＮ対応プロジェクター１００では、無線通信部１０５が、無線アクセスポイント３００からのセッション開始要求を受信する。そして、ネットワーク制御部１０６が、セッション開始要求に応じて、許可を示す応答信号を無線通信部１０５から無線アクセスポイント３００へ送信させる（ステップＳ３１０）。この応答信号は、宛先アドレスに無線ＬＡＮ端末２００のＩＰアドレス（例えば、「192.168.010.012」）を設定し、送信元アドレスに無線ＬＡＮ対応プロジェクター１００のＩＰアドレス（例えば、「192.168.010.011」）を設定したものである。
無線アクセスポイント３００は、無線ＬＡＮ対応プロジェクター１００からの応答信号を受け付け、該応答信号の宛先アドレスに基づいてルーティングを行って（ステップＳ３１１）、その応答信号を無線ＬＡＮ端末２００に送る（ステップＳ３１２）。
無線ＬＡＮ端末２００では、ネットワーク制御部２０５が、無線通信部２０４を介して無線アクセスポイント３００からの応答信号を受け付ける。これにより、無線ＬＡＮ端末２００と無線ＬＡＮ対応プロジェクター１００との無線アクセスポイント３００経由でのセッションが開始する（ステップＳ３１３）。
【００４０】
以上説明した本実施形態の無線ＬＡＮシステムによれば、以下のような作用効果を奏する。
一般に、無線ＬＡＮ対応プロジェクターには、無線ＬＡＮの接続形態の選択項目として、「アドホック」と「インフラストラクチャ」の２つの項目がある。ユーザーは、所持している無線ＬＡＮ端末（例えば、ノート型パーソナルコンピュータ）を無線ＬＡＮ対応プロジェクターに接続する場合、「アドホック」と「インフラストラクチャ」のいずれかの項目を選択する。
「アドホック」が選択された場合は、無線ＬＡＮ対応プロジェクターは一つの無線ＬＡＮ端末として動作し、無線通信エリア内の無線ＬＡＮ端末に対して、ＳＳＩＤを含むビーコン信号をブロードキャストする。この場合は、無線ＬＡＮ対応プロジェクターと無線ＬＡＮ端末とが直接通信するネットワーク、いわゆるアドホックモードの接続形態のネットワークが構築される。このネットワークは、イントラネットとは繋がっていないため、無線ＬＡＮ端末からイントラネット上の共有サーバーにアクセスすることはできない。
【００４１】
一方、「インフラストラクチャ」が選択された場合は、無線ＬＡＮ対応プロジェクターは、無線ＬＡＮ端末として動作し、ビーコン信号の送信は行わずに、サイトサーベイにより無線アクセスポイントからのビーコン信号を収集する。無線ＬＡＮ対応プロジェクターは、ビーコン信号に含まれるＳＳＩＤに基づいて最適な無線アクセスポイントとの無線接続を確立し、さらに、イントラネットへのネットワーク接続を確立する。ユーザーは、無線ＬＡＮ端末を無線アクセスポイント経由で無線ＬＡＮ対応プロジェクターと接続する。この場合、ユーザーは、無線ＬＡＮ端末からイントラネット上の共有サーバーにアクセスすることができる。しかし、ユーザーは、無線ＬＡＮ端末上で、無線アクセスポイント経由で無線ＬＡＮ対応プロジェクターに接続するためのネットワーク接続設定を手動で行う必要がある。
【００４２】
これに対して、本実施形態では、「インフラストラクチャ」が選択された場合、無線ＬＡＮ対応プロジェクター１００は、無線ＬＡＮ端末として動作するが、自身のＩＰアドレスを含むビーコン信号をブロードキャストする。無線ＬＡＮ端末２００は、そのビーコン信号を受信することで、無線ＬＡＮ対応プロジェクター１００のＩＰアドレスを取得することができ、そのＩＰアドレスを用いて、無線アクセスポイント３００経由で無線ＬＡＮ対応プロジェクター１００とのネットワーク接続を確立することができる。この場合、ユーザーは、ネットワーク接続設定を手動で行う必要がない。加えて、ユーザーは、無線ＬＡＮ端末２００からイントラネット５００上の共有サーバーにアクセスすることができる。
このように、本実施形態によれば、無線ＬＡＮ端末２００を無線アクセスポイント３００経由で無線ＬＡＮ対応プロジェクター１００に自動で接続することができ、かつ、無線ＬＡＮ端末２００から共有サーバーにアクセスすることができるので、利便性が向上する。
【００４３】
また、無線ＬＡＮ端末２００は、サイトサーベイによりビーコン信号を収集するため、無線ＬＡＮ対応プロジェクター１００からのビーコン信号だけでなく、他の装置からのビーコン信号も収集する場合がある。ここで、他の装置は、無線アクセスポイント３００や他の無線ＬＡＮ対応プロジェクターなどである。この場合、通常、無線ＬＡＮ端末は、それぞれのビーコン信号から取得したＳＳＩＤに基づき、接続可能なネットワーク名一覧を表示し、ユーザーは、その一覧から、無線ＬＡＮ対応プロジェクター１００に対応するネットワーク名を選択する。本実施形態では、ＰＩＮコードを用いて接続すべきネットワークを判定するので、そのようなネットワーク名の選択操作は不要である。
具体的に説明すると、無線ＬＡＮ対応プロジェクター１００は、ＩＰアドレス及びＰＩＮコードを記述したＳＳＩＤを含むビーコン信号を送信するとともに、ＰＩＮコードを示す画像を投写する。ユーザーは、その投写画像から、無線ＬＡＮ対応プロジェクター１００で用いているＰＩＮコードを取得できる。無線ＬＡＮ端末２００は、ＰＩＮコード入力画面上で入力されたＰＩＮコードと一致するビーコン信号に基づいてネットワーク接続設定を行う。このように、ユーザーは、無線ＬＡＮ端末２００上でＰＩＮコードを入力するだけで、ネットワーク名の選択操作やネットワーク接続設定を行うことなく、無線ＬＡＮ端末２００を無線アクセスポイント３００経由で無線ＬＡＮ対応プロジェクター１００に接続することができる。よって、利便性がさらに向上する。
【００４４】
なお、本実施形態の無線ＬＡＮシステムにおいて、ＰＩＮコード入力によるネットワーク接続に代えて、無線ＬＡＮ端末２００に接続開始ボタンを表示し、ユーザーが接続開始ボタンを押すことで、ネットワーク接続を行うことも可能である。
図８に、接続開始ボタンを用いたネットワーク接続の動作手順を示す。
無線ＬＡＮ対応プロジェクター１００の無線通信部１０５が、ＳＳＩＤ（例えば、「MPJ_192.168.010.011_9086」）を含むビーコン信号を定期的に送信する（ステップＳ４００）。
無線ＬＡＮ端末２００では、タッチパネル部２０１が、接続開始ボタンを表示する（ステップＳ４０１）。ユーザーが、接続開始ボタンをタッチすると（ステップＳ４０２）、無線通信部２０４が、サイトサーベイによりビーコン信号を収集する（ステップＳ４０３）。ＳＳＩＤ解析部２０６が、サイトサーベイにより収集したビーコン信号のＳＳＩＤを解析し（ステップＳ４０４）、接続可能なＩＰアドレスを含むＳＳＩＤを抽出する。例えば、ＳＳＩＤ解析部２０６は、信号強度が最も高いビーコン信号のＳＳＩＤを無線ＬＡＮ対応プロジェクター１００から送信されたものと判定する。
【００４５】
次に、ＳＳＩＤ解析部２０６が、抽出したＳＳＩＤからＩＰアドレス（例えば、「192.168.010.011」）を取り出し、そのＩＰアドレスをネットワーク制御部２０５に供給する（ステップＳ４０５）。そして、ネットワーク制御部２０５が、セッション開始要求を無線通信部２０４から無線アクセスポイント３００に送信させる（ステップＳ４０６）。ここで、セッション開始要求は、宛先アドレスに無線ＬＡＮ対応プロジェクター１００のＩＰアドレス（例えば、「192.168.010.011」）を設定し、送信元アドレスに無線ＬＡＮ端末２００のＩＰアドレス（例えば、「192.168.010.012」）を設定したものである。
無線アクセスポイント３００は、無線ＬＡＮ端末２００からのセッション開始要求を受け付け、該要求の宛先アドレスに基づいてルーティングを行って（ステップＳ４０７）、そのセッション開始要求を無線ＬＡＮ対応プロジェクター１００に送る（ステップＳ４０８）。
【００４６】
次に、無線ＬＡＮ対応プロジェクター１００では、無線通信部１０５が、無線アクセスポイント３００からのセッション開始要求を受信する。そして、ネットワーク制御部１０６が、セッション開始要求に応じて、許可を示す応答信号を無線通信部１０５から無線アクセスポイント３００へ送信させる（ステップＳ４０９）。この応答信号は、宛先アドレスに無線ＬＡＮ端末２００のＩＰアドレス（例えば、「192.168.010.012」）を設定し、送信元アドレスに無線ＬＡＮ対応プロジェクター１００のＩＰアドレス（例えば、「192.168.010.011」）を設定したものである。
無線アクセスポイント３００は、無線ＬＡＮ対応プロジェクター１００からの応答信号を受け付け、該応答信号の宛先アドレスに基づいてルーティングを行って（ステップＳ４１０）、その応答信号を無線ＬＡＮ端末２００に送る（ステップＳ４１１）。
無線ＬＡＮ端末２００では、ネットワーク制御部２０５が、無線通信部２０４を介して無線アクセスポイント３００からの応答信号を受け付ける。これにより、無線ＬＡＮ端末２００と無線ＬＡＮ対応プロジェクター１００との無線アクセスポイント３００経由でのセッションが開始する（ステップＳ４１２）。
【００４７】
上記の接続開始ボタンを用いたネットワーク接続においても、無線ＬＡＮ端末２００を無線アクセスポイント３００経由で無線ＬＡＮ対応プロジェクター１００に自動で接続することができ、かつ、無線ＬＡＮ端末２００から共有サーバーにアクセスすることができる。よって、利便性が向上する。
【００４８】
図５に示したＰＩＮコード接続待ち受けまでの処理、及び、図７に示したＰＩＮコード接続動作のうちの無線ＬＡＮ対応プロジェクター１００のＰＩＮコード接続処理は、プログラムをコンピュータが実行することで実現されても良い。この場合、プログラムは、ＰＩＮコード接続待ち受けまでの処理、及び、ＰＩＮコード接続処理を、無線ＬＡＮ対応プロジェクター１００のコンピュータに実行させても良い。
同様に、図８に示した接続開始ボタンを用いたネットワーク接続動作のうちの無線ＬＡＮ対応プロジェクター１００のネットワーク接続処理は、コンピュータがプログラムを実行することで実現されても良い。この場合、プログラムは、ネットワーク接続処理を無線ＬＡＮ対応プロジェクター１００のコンピュータに実行させても良い。
また、図７に示した無線ＬＡＮ端末２００のＰＩＮコード接続待ち受けまでの処理、及び、図８に示したＰＩＮコード接続動作のうちの無線ＬＡＮ端末２００のＰＩＮコード接続処理は、コンピュータがプログラムを実行することで実現されても良い。例えば、プログラムは、ＰＩＮコード接続待ち受けまでの処理、及び、ＰＩＮコード接続処理を、無線ＬＡＮ対応端末２００のコンピュータに実行させても良い。
【００４９】
上述したプログラムは、コンピュータ使用可能またはコンピュータ可読媒体（記録媒体とも言う）で提供されてもよく、また、インターネット等のネットワークを介して提供されてもよい。ここで、コンピュータ使用可能またはコンピュータ可読媒体は、磁気、光、電子、電磁気、赤外線などを用いて情報の記録または読み取りが可能な媒体を含む。そのような媒体として、例えば、半導体メモリ、半導体または固体の記憶装置、磁気テープ、取外し可能なコンピュータディスケット、ランダムアクセスメモリ（ＲＡＭ）、読出し専用メモリ（ＲＯＭ）、磁気ディスク、光ディスク、光磁気ディスクなどがある。
【００５０】
（他の実施形態１）
図９は、本発明の別の実施形態である電子機器の構成を示すブロック図である。
図９を参照すると、電子機器６００は、無線アクセスポイントまたはケーブルを介してネットワークに接続されるものであって、通信部６０１及び制御部６０２を有する。電子機器６００は、例えば、無線ＬＡＮ対応プロジェクター１００に相当する。ここで、ネットワークは、例えばイントラネットである。
【００５１】
通信部６０１は、少なくとも無線通信機能を備える。通信部６０１は、無線アクセスポイントまたはケーブルを介してネットワークに接続可能である。例えば、通信部６０１は、無線アクセスポイントと無線で通信することができる。制御部６０２は、通信部６０１の通信動作を制御する。制御部６０２は、無線アクセスポイントまたはケーブルを介してネットワークに接続されたまま、通信部６０１から、電子機器６００の識別情報を含むビーコン信号を送信させる。識別情報は、例えば、ネットワーク上で電子機器６００を識別可能なＩＰアドレスの情報を含む。
少なくともＩＰアドレスを含むビーコン信号を電子機器６００が送信する前提として、電子機器６００がイントラネットに接続されていることが望ましい。例えば、電子機器６００がイントラネットに接続されていることは、無線ＬＡＮ端末からセッション要求を受け付けるための前提条件だからである。
本実施形態の電子機器６００において、通信部６０１は、ビーコン信号を受信した端末から、無線アクセスポイントまたは前記ケーブルを介してセッション開始要求を受信しても良い。この場合、ビーコン信号は、ブロードキャストにより送信されても良い。
【００５２】
また、電子機器６００において、制御部６０２は、ＩＰアドレスの割当てが無線アクセスポイントおよびケーブルのいずれを経由して行われたかを判定し、ケーブル経由（例えば、有線ＬＡＮ経由）である場合に、通信部６０１にビーコン信号の送信を行わせ、または、無線アクセスポイント経由（例えば、無線ＬＡＮ経由）である場合で、無線アクセスポイントを介して無線ＬＡＮ端末と通信する第１のモードが設定されている場合に、通信部６０１にビーコン信号の送信を行わせても良い。
さらに、制御部６０２は、ＩＰアドレスの割当てが無線アクセスポイント経由である場合で、第１のモードが設定されていない場合には、通信部６０１にビーコン信号の送信を行わせないようにしても良い。例えば、ＩＰアドレスの割当てが無線アクセスポイント経由である場合で、無線ＬＡＮ端末と直接に無線通信を行う第２のモードが設定されている場合には、制御部６０２は、通信部６０１にビーコン信号の送信を行わせない。
上記ビーコン信号は、少なくとも電子機器６００のＩＰアドレスを含む。第１のモードは、例えば、インフラストラクチャモードであり、第２のモードは、例えば、アドホックモードやアクセスポイントモードである。ここで、アクセスポイントモードは、自身がアクセスポイントとして動作し、無線ＬＡＮ端末と直接に無線通信を行う。なお、アドホックモードやアクセスポイントモードでも、ビーコン信号を送信するが、そのビーコン信号には、ＩＰアドレスは含まれていない。
図１１に、ＩＰアドレスを含むビーコン信号の送信を行うか否かを判定する具体的な手順を示す。以下、図１１を参照して判定動作を説明する。
図１１に示すように、制御部６０２は、有線ＬＡＮ経由でＩＰアドレスの割り当てが行われたか否かを判定する（ステップＳ４０１）。この判定が「Ｙｅｓ」である場合、制御部６０２は、通信部６０１にＩＰアドレスを含むビーコン信号を送信させる（ステップＳ４０２）。
ステップＳ４０１の判定が「Ｎｏ」である場合、制御部６０２は、無線ＬＡＮ経由でＩＰアドレスの割り当てが行われたか否かを判定する（ステップＳ４０３）。この判定が「Ｙｅｓ」である場合、制御部６０２は、インフラストラクチャモードが設定されているか否かを判定する（ステップＳ４０４）。
ステップＳ４０４の判定が「Ｙｅｓ」である場合、制御部６０２は、ステップ４０２のビーコン送信を行う。ステップＳ４０４の判定が「Ｎｏ」である場合、制御部６０２は、通信部６０１でのビーコン信号の送信は行わせない（ステップＳ４０５）。
ステップＳ４０３の判定が「Ｎｏ」である場合、制御部６０２は、ステップＳ４０１の判定を行う。
ステップＳ４０２又はステップＳ４０５の処理を実行した後、制御部６０２は、判定動作を終了する。
【００５３】
また、電子機器６００は、文字列の情報を生成するコード生成部を、さらに有しても良い。この場合、電子機器６００の識別情報は、コード生成部で生成した文字列の情報をさらに含んでいても良い。さらに、電子機器６００の識別情報は、ＳＳＩＤであっても良い。
また、電子機器６００は、画像を表示する表示部を、さらに有していても良い。この場合、表示部は、コード生成部で生成した文字列文字列を示す画像を表示しても良い。
また、電子機器６００は、画像を投写する投写部を、さらに有しても良い。この場合、投写部は、コード生成部で生成した文字列を示す画像を投写しても良い。
さらに、電子機器６００のＩＰアドレスは、ＤＨＣＰで割り当てられても良い。
なお、制御部６０２による通信部６０１等の各部の動作制御や処理は、プログラムをコンピュータが実行することで実現されても良い。
【００５４】
図１０は、本発明の別の実施形態である無線ＬＡＮ端末の構成を示すブロック図である。
図１０を参照すると、無線ＬＡＮ端末７００は、無線アクセスポイントまたはケーブルを介してネットワークに接続される無線ＬＡＮ端末であって、通信部７０１、制御部７０２、及び操作部７０３を有する。
通信部７０１は、少なくとも無線通信機能を備える。通信部７０１は、無線アクセスポイントまたはケーブルを介してネットワークに接続可能である。例えば、通信部７０１は、無線アクセスポイントと無線で通信することができる。操作部７０３は、文字の入力を受け付ける。
【００５５】
制御部７０２は、通信部７０１の通信動作を制御する。制御部７０２は、操作部７０３を介して所定の認証情報の入力を受け付ける。通信部７０１が、ネットワークに接続された電子機器６００から無線アクセスポイントおよびケーブルのいずれも介さずに該電子機器６００のＩＰアドレスの情報と所定の認証情報とを含む無線信号を受信すると、制御部７０２は、そのＩＰアドレスを宛先アドレスに設定したセッション開始要求を、通信部７０１から無線アクセスポイントまたはケーブルを介して（例えば、無線ＬＡＮ経由または有線ＬＡＮ経由で）送信させる。所定の認証情報の入力前に、または、無線信号の受信前に、通信部７０１が、無線アクセスポイントまたはケーブルを介して（例えば、無線ＬＡＮ経由または有線ＬＡＮ経由で）ネットワークに接続されている。ここで、所定の認証情報は、電子機器６００が生成した文字列の情報であり、例えば、ＰＩＮコードである。無線信号は、例えば、ビーコン信号である。ネットワークは、例えば、イントラネットである。
【００５６】
例えば、無線ＬＡＮ端末７００のユーザーがＰＩＮコードを入力すると、無線ＬＡＮ端末７００はビーコン信号を収集し、最終的に無線ＬＡＮ端末７００と電子機器６００との間のセッションが開始される。この一連の動作の前提として、ＰＩＮコードが入力される前、又は、無線ＬＡＮ端末７００がビーコン信号を収集する前に、無線ＬＡＮ端末６００がイントラネットに接続されていることが望ましい。この場合、ＰＩＮコードの入力後、又は、ビーコン信号の収集後、セッションが開始されるまでに要する時間を短縮できるため、利便性が向上する。
【００５７】
なお、無線ＬＡＮ端末７００を以下のように変形しても良い。
無線ＬＡＮ端末７００を、少なくとも無線通信機能を備えた通信部７０１と、通信部７０１の動作を制御する制御部７０２とから構成する。制御部７０２は、無線アクセスポイントまたはケーブルを介してネットワークに接続されたまま、通信部７０１が、電子機器から無線アクセスポイントおよびケーブルのいずれも介さずに該電子機器のＩＰアドレスの情報を含む信号を受信すると、ＩＰアドレスを宛先アドレスに設定したセッション開始要求を、通信部７０１から無線アクセスポイントまたはケーブルを介して送信させる。
また、本実施形態の無線ＬＡＮ端末７００において、制御部７０２による通信部７０１等の各部の動作制御や処理は、プログラムをコンピュータが実行することで実現されても良い。
【００５８】
図９に示した電子機器６００と、図１０に示した無線ＬＡＮ端末７００とから無線ＬＡＮシステムを構築する。電子機器６００と無線ＬＡＮ端末７００とが無線アクセスポイント経由で通信する。この無線ＬＡＮシステムによれば、無線ＬＡＮ端末７００を無線アクセスポイント経由で電子機器６００に自動で接続することができ、かつ、無線ＬＡＮ端末７００から共有サーバーにアクセスすることができるので、利便性が向上する。
【００５９】
以上、実施形態を参照して本発明を説明したが、本発明は上記実施形態に限定されるものではない。本発明の構成や詳細には、本発明のスコープ内で当業者が理解し得る様々な変更をすることができる。
例えば、以下の（１−１）〜（１−３）で説明する処理や構成を適用することができる。
（１−１）ビーコン信号の送信：セッションが確立されるまで
ＩＥＥＥ８０２．１１フレームが用いられる場合、ビーコン信号の送信に用いられるフレームの種類は、「管理フレーム」である。その管理フレームの受信者のＭＡＣアドレス（Receiver address）は特に指定されず、例えば「ＦＦ：ＦＦ：ＦＦ：ＦＦ：ＦＦ：ＦＦ」とされる。その結果、ビーコン信号は、ブロードキャストにより送信される。また、受信者のＭＡＣアドレスが指定されていないため、ビーコン信号は、無線アクセスポイント３００を介してネットワークへ送信されることはない。
例えば、図５の手順において、ビーコン信号は、無線ＬＡＮ対応プロジェクター１００と無線アクセスポイント３００との間で無線接続を確立した後（ステップＳ１０５の後）、さらにはＩＰアドレスが割り振られた後（ステップＳ１０７〜１０９の後）、送信される（ステップＳ１１３）。つまり、ビーコン信号は、無線ＬＡＮ対応プロジェクター１００が無線アクセスポイント３００を介してネットワークに接続されたまま、送信される。
また、図７の手順において、ビーコン信号は、少なくとも、無線ＬＡＮ対応プロジェクター１００と無線ＬＡＮ端末２００との間でセッションが確立されるまで（ステップＳ３１３まで）、送信され続けることが望ましい。
（１−２）データの送受信：セッションが確立された後
無線アクセスポイント３００を介して、無線ＬＡＮ対応プロジェクター１００と無線ＬＡＮ端末２００との間でセッションが開始されると、無線アクセスポイント３００を介してデータの送受信が行われる。データの送受信に用いられるフレームの種類は、「データフレーム」である。
無線ＬＡＮ端末２００から送信されるデータフレームの受信者のＭＡＣアドレスは、無線アクセスポイント３００のＭＡＣアドレスとされる（宛先のＭＡＣアドレスは、無線ＬＡＮ対応プロジェクター１００のＭＡＣアドレスとされる）。無線ＬＡＮ端末２００から送信されるデータは、例えば、無線ＬＡＮ対応プロジェクター１００に表示させる画像のデータである。
一方、無線ＬＡＮ対応プロジェクター１００から送信されるデータフレームの受信者のＭＡＣアドレスも、無線アクセスポイント３００のＭＡＣアドレスとされる（宛先のＭＡＣアドレスは、無線ＬＡＮ端末２００のＭＡＣアドレスとされる）。無線ＬＡＮ対応プロジェクター１００から送信されるデータは、例えば、画像のデータを正常に受信した旨を知らせるためのＡＣＫである。
（１−３）ビーコン信号の送信：セッションが確立された後
無線ＬＡＮ対応プロジェクター１００と無線ＬＡＮ端末２００との間でセッションが確立された後にも、ビーコン信号は送信されてもよい。セッションが確立された後にビーコン信号が送信されることにより、例えば、セッションを確立した無線ＬＡＮ端末２００以外の端末等と無線ＬＡＮ対応プロジェクター１００との間で、さらにセッションを確立すること等が可能となる。
その場合には、無線ＬＡＮ対応プロジェクター１００は、ブロードキャストによるビーコン信号の送信と、無線ＬＡＮ端末２００へのデータの送信と、を同時に行うことになる。なお、受信者のＭＡＣアドレス等は、上記と同様である。
無線ＬＡＮ対応プロジェクター１００の無線通信部１０５は、送受信に用いるアンテナを有している。送信用のアンテナが１本である場合には、ビーコン信号の送信とデータの送信を時分割で行う。例えば、ビーコン信号を１００ミリ秒毎に定期的に送信するとともに、それ以外の時間にデータの送信を行う。
また、送信用のアンテナが複数ある場合には、そのうちの１本のアンテナを用いてビーコン信号の送信を行い、それ以外のアンテナを用いてデータの送信を同時に行うこともできる。なお、その場合にも、ビーコン信号の送信を行う１本のアンテナを用いて、データの送信を時分割で行ってもよい。
【００６０】
以下、フレーム構成の具体例を説明する。
例えば、図５の手順において、ステップＳ１０３で、以下のような構成のフレームを用いても良い。
フレームの種類：データフレーム
Receiver address : 無線アクセスポイント300のMACアドレス
Destination address : FF:FF:FF:FF:FF:FF
Transmitter address : 無線LAN対応プロジェクター100のMACアドレス
さらに、ステップＳ１０４で、以下のような構成のフレームを用いても良い。
フレームの種類：データフレーム
Receiver address : 無線LAN対応プロジェクター100のMACアドレス
Destination address : FF:FF:FF:FF:FF:FF
Transmitter address : 無線アクセスポイント300のMACアドレス
さらに、ステップＳ１０６で、以下のような構成のフレームを用いても良い。
フレームの種類：データフレーム
Receiver address : 無線アクセスポイント300のMACアドレス
Destination address : FF:FF:FF:FF:FF:FF
Transmitter address : 無線LAN対応プロジェクター100のMACアドレス
さらに、ステップＳ１０７で、以下のような構成のフレームを用いても良い。
フレームの種類：データフレーム
Receiver address : 無線LAN対応プロジェクター100のMACアドレス
Destination address :無線LAN対応プロジェクター100のMACアドレス
Transmitter address : 無線アクセスポイント300のMACアドレス
【００６１】
また、図６の手順において、ステップＳ２０２で、以下のような構成のフレームを用いても良い。
フレームの種類：データフレーム
Receiver address : 無線アクセスポイント300のMACアドレス
Destination address : FF:FF:FF:FF:FF:FF
Transmitter address : 無線LAN端末200のMACアドレス
さらに、ステップＳ２０３で、以下のような構成のフレームを用いても良い。
フレームの種類：データフレーム
Receiver address : 無線LAN端末200のMACアドレス
Destination address : FF:FF:FF:FF:FF:FF
Transmitter address : 無線アクセスポイント300のMACアドレス
さらに、ステップＳ２０５で、以下のような構成のフレームを用いても良い。
フレームの種類：データフレーム
Receiver address : 無線アクセスポイント300のMACアドレス
Destination address : FF:FF:FF:FF:FF:FF
Transmitter address : 無線LAN端末200のMACアドレス
さらに、ステップＳ２０６で、以下のような構成のフレームを用いても良い。
フレームの種類：データフレーム
Receiver address : 無線LAN端末200のMACアドレス
Destination address :無線LAN端末200のMACアドレス
Transmitter address : 無線アクセスポイント300のMACアドレス
【００６２】
また、図７の手順において、ステップＳ３００で、以下のような構成のフレームを用いても良い。
フレームの種類：管理フレーム
Receiver address : FF:FF:FF:FF:FF:FF
Destination address : FF:FF:FF:FF:FF:FF
Transmitter address : 無線LAN対応プロジェクター100のMACアドレス
さらに、ステップＳ３０７で、以下のような構成のフレームを用いても良い。
フレームの種類：データフレーム
Receiver address : 無線アクセスポイント300のMACアドレス
Destination address : 無線LAN対応プロジェクター100のMACアドレス
Transmitter address : 無線LAN端末200のMACアドレス
さらに、ステップＳ３０９で、以下のような構成のフレームを用いても良い。
フレームの種類：データフレーム
Receiver address : 無線LAN対応プロジェクター100のMACアドレス
Destination address :無線LAN対応プロジェクター100のMACアドレス
Transmitter address : 無線アクセスポイント300のMACアドレス
さらに、ステップＳ３１０で、以下のような構成のフレームを用いても良い。
フレームの種類：データフレーム
Receiver address : 無線アクセスポイント300のMACアドレス
Destination address : 無線LAN端末200のMACアドレス
Transmitter address : 無線LAN対応プロジェクター100のMACアドレス
さらに、ステップＳ３１２で、以下のような構成のフレームを用いても良い。
フレームの種類：データフレーム
Receiver address : 無線LAN端末200のMACアドレス
Destination address :無線LAN端末200のMACアドレス
Transmitter address : 無線アクセスポイント300のMACアドレス
【００６３】
（他の実施形態２）
図１に示した無線ＬＡＮシステムにおいて、無線ＬＡＮ対応プロジェクター１００と無線ＬＡＮ端末２００とは、無線アクセスポイント３００を経由して、イントラネット５０００に接続されている。この場合、無線ＬＡＮ対応プロジェクター１００と無線アクセスポイント３００の間、および、無線ＬＡＮ端末２００と無線アクセスポイント３００の間は、無線ＬＡＮ経路で繋がっている。
これに対して、本発明の他の実施形態である無線通信システムでは、電子機器の一例である無線ＬＡＮ対応プロジェクターと無線ＬＡＮ端末とは、無線ＬＡＮを介さずに、直接、有線ＬＡＮ経由で、ネットワークの一例であるイントラネットと接続される。
【００６４】
図１２に、本発明の他の実施形態である無線通信システムの構成を示す。図１２を参照すると、無線通信システムは、無線ＬＡＮ対応プロジェクター１００−１、無線ＬＡＮ端末２００−１、ＤＨＣＰサーバー４００及びイントラネット５００を有する。ＤＨＣＰサーバー４００及びイントラネット５００は、図１に示したものと同じである。
無線ＬＡＮ対応プロジェクター１００−１は、図１に示した無線ＬＡＮ対応プロジェクター１００と同様の機能を有する他、有線ＬＡＮへの接続機能を有する。
【００６５】
図１３は、無線ＬＡＮ対応プロジェクター１００−１の構成を示すブロック図である。
図１３に示す無線ＬＡＮ対応プロジェクター１００−１は、光源１０１、映像合成投写部１０２、フレームバッファ１０３、ＯＳＤ部１０４及び無線／有線ＬＡＮユニット１００ｃを有する。光源１０１、映像合成投写部１０２、フレームバッファ１０３及びＯＳＤ部１０４は、図２に示したものと基本的に同じである。
【００６６】
無線／有線ＬＡＮユニット１００ｃは、無線通信部１０５、有線通信部１０５ａ、ネットワーク制御部１０６、ＳＳＩＤ生成部１０７及びＰＩＮコード生成部１０８を有する。無線通信部１０５、ネットワーク制御部１０６、ＳＳＩＤ生成部１０７及びＰＩＮコード生成部１０８は、図２に示したものと基本的に同じである。
有線通信部１０５ａは、ネットワーク制御部１０６と電気的に接続されている。有線通信部１０５ａは、有線ＬＡＮへの接続が可能である。ネットワーク制御部１０６は、無線通信部１０５及び有線通信部１０５ａそれぞれの通信動作を制御する。有線通信部１０５ａは、有線ＬＡＮ経由でイントラネット５００と接続することができる。有線通信部１０５ａをイントラネット５００と接続した場合、ネットワーク制御部１０６は、無線通信部１０５を、ビーコン信号を送信する通信部として機能させる。
【００６７】
ネットワーク制御部１０６は、有線通信部１０５ａが有線ＬＡＮ経由でイントラネット５００に接続されたまま、無線通信部１０５から、無線ＬＡＮ対応プロジェクター１００−１の識別情報を含むビーコン信号を送信させる。無線ＬＡＮ対応プロジェクター１００−１の識別情報は、イントラネット５００上で無線ＬＡＮ対応プロジェクター１００−１を識別可能なＩＰアドレスの情報や認証情報（例えば、ＰＩＮコード）を含む。
【００６８】
図１４は、無線ＬＡＮ端末２００−１の構成を示すブロック図である。
図１４に示す無線ＬＡＮ端末２００−１は、タッチパネル部２０１、ユーザーインターフェース制御部２０２、フレームバッファ２０３、無線通信部２０４、有線通信部２０４ａ、ネットワーク制御部２０５及びＳＳＩＤ解析部２０６を有する。タッチパネル部２０１、ユーザーインターフェース制御部２０２、フレームバッファ２０３、無線通信部２０４、ネットワーク制御部２０５及びＳＳＩＤ解析部２０６は、図３に示したものと基本的に同じである。
【００６９】
有線通信部２０４ａは、ネットワーク制御部２０５と電気的に接続されている。有線通信部２０４ａは、有線ＬＡＮへの接続が可能である。ネットワーク制御部２０５は、無線通信部２０４及び有線通信部２０４ａそれぞれの通信動作を制御する。有線通信部２０４ａは、有線ＬＡＮ経由でイントラネット５００と接続することができる。有線通信部２０４ａをイントラネット５００と接続した場合、ネットワーク制御部２０５は、無線通信部１０４を、ビーコン信号を受信する通信部として機能させる。
【００７０】
ネットワーク制御部２０５は、タッチパネル部２０１を介して所定の認証情報（例えば、ＰＩＮコード）の入力を受け付ける。無線通信部２０４が、イントラネット５００に接続された無線ＬＡＮ対応プロジェクター１００−１から、無線ＬＡＮ対応プロジェクター１００−１のＩＰアドレスの情報と上記所定の認証情報とを含むビーコン信号を受信する。ネットワーク制御部２０５は、そのＩＰアドレスを宛先アドレスに設定したセッション開始要求を、有線通信部２０４ａから有線ＬＡＮ経由で送信させる。上記所定の認証情報の入力前に、または、ビーコン信号の受信前に、有線通信部２０４ａが、有線ＬＡＮ経由でイントラネット５００に接続されている。
【００７１】
以上説明した各実施形態において、無線ＬＡＮ端末は、以下の手順１〜５で無線ＬＡＮ対応プロジェクターへ接続することが望ましい。
（手順１）無線接続の確立（例えば、図６のＳ２０２〜Ｓ２０４）
（手順２）イントラネットへの接続の確立（例えば、図６のＳ２０５〜Ｓ２０８）
（手順３）接続対象の無線ＬＡＮ対応プロジェクターのＰＩＮコードを入力（例えば、図６のＳ２０９及び図７のＳ３０１〜Ｓ３０２）
（手順４）無線ＬＡＮ対応プロジェクターのビーコン信号からＩＰアドレスを取得（例えば、図７のＳ３０３〜Ｓ３０６）
（手順５）無線ＬＡＮ対応プロジェクターとのセッションを開始（例えば、図７のステップＳ３０７〜Ｓ３１３）
【００７２】
上記の手順１〜５を行う理由は、以下の通りである。
無線ＬＡＮ端末が無線ＬＡＮ対応プロジェクターとのセッションを開始するためには、無線ＬＡＮ端末と無線ＬＡＮ対応プロジェクターの双方が相互に通信できるイントラネットへ接続している必要がある。そのため、手順５の前に手順１と手順２を経ていなければならない。
また、手順３と手順４を手順１の前に実施するもできる。しかし、無線ＬＡＮ対応プロジェクターのビーコン信号から取得するＩＰアドレスは、手順５のセッションを開始するために必要な情報であり、ＩＰアドレスの取得後に、即時にセッションを開始するためには、手順２の後に手順３と手順４を実施することが望ましい。
【００７３】
さらに、手順１と手順２の煩わしさを解消するメリットがある。一般的に、無線ＬＡＮ端末は、過去に接続したことがあるアクセスポイントのＳＳＩＤとセキュリティ情報を保持している。無線ＬＡＮ端末は、過去に接続したことがあって、かつ、信号レベルが高い近隣のアクセスポイントを検出すると、自動的にアクセスポイントへの無線接続の確立を実施する。そして、無線接続が確立したら、続けて、無線ＬＡＮ端末は、アクセスポイントが接続しているイントラネットへの接続の確立を実施する。無線ＬＡＮ対応プロジェクターが社内のイントラネットに接続されていれば、無線ＬＡＮ端末を持つ社内のユーザーは、無線ＬＡＮ端末が社内のイントラネットへの接続を確立するまでの手順を意識せずともよい。
【００７４】
この出願は、２０１７年６月２日提出のＰＣＴ／ＪＰ２０１７／２０５９０を基礎とする優先権を主張し、その開示の全てをここに取り込む。
【符号の説明】
【００７５】
１００、６００  無線ＬＡＮ対応プロジェクター
１００ａ  スクリーン
１００ｂ  無線ＬＡＮユニット
１０１  光源
１０２  映像合成投写部
１０３  フレームバッファ
１０４  ＯＳＤ部
１０５  無線通信部
１０６  ネットワーク制御部
１０７  ＳＳＩＤ生成部
１０８  ＰＩＮコード生成部
２００  無線ＬＡＮ端末
３００  無線アクセスポイント
４００  ＤＨＣＰサーバー
５００  イントラネット
６０１  識別情報生成部
６０２  無線通信部
６０３  制御部
【図１】
2018221673.tif 000003
【図２】
2018221673.tif 000004
【図３】
2018221673.tif 000005
【図４】
2018221673.tif 000006
【図５】
2018221673.tif 000007
【図６】
2018221673.tif 000008
【図７】
2018221673.tif 000009
【図８】
2018221673.tif 000010
【図９】
2018221673.tif 000011
【図１０】
2018221673.tif 000012
【図１１】
2018221673.tif 000013
【図１２】
2018221673.tif 000014
【図１３】
2018221673.tif 000015
【図１４】
2018221673.tif 000016
【国際調査報告】
2018221673.tif 000017
2018221673.tif 000018
2018221673.tif 000019
2018221673.tif 000020